(57)【要約】【課題】装置自体の適正な持ち方を使用者に対して容易に認識させることができる頭皮ケア装置を提供する。【解決手段】頭皮ケア装置１０は、その装置本体部１１の下端側に取り付けられた施術ヘッド部１２の底面側に４つの施術子７１ａ〜７１ｄを有する。４つの施術子７１ａ〜７１ｄは、少なくとも動作方向Ｘへの方向性のある動作をする。装置本体部１１の施術子７１ａ〜７１ｄが設けられた側と反対側には、アーチ部１４が設けられている。このアーチ部１４は、動作方向Ｘと交差（例えば直交）する方向に延設されている。このため、アーチ部１４の延設方向から動作方向Ｘの認識が可能となっている。アーチ部１４と上面１１ｂとにより囲み形成された指挿入孔１６に、手の親指を除く３指又は４指を指挿入方向ＩＤへ挿入すれば、頭皮ケア装置１０を動作方向Ｘに応じた適正な向きに把持できるようになっている。【選択図】図１
2014108160.tif 000002
【特許請求の範囲】
【請求項１】
装置本体の外郭を構成するハウジングと、前記ハウジングの一端側に設けられて使用者の頭皮に接触させて刺激を与える施術子と、を有し、駆動源にて駆動される出力軸に前記施術子が駆動連結され、前記出力軸の駆動に伴って少なくとも該出力軸の直交方向に動作される前記施術子を使用者の頭皮に接触させて刺激を与える頭皮ケア装置であって、
前記施術子は、前記駆動源の駆動に基づいて方向性のある動作が実施されるものであり、前記ハウジングには、前記施術子が設けられた側と反対側に、前記施術子の動作方向と交差する方向に延設されたアーチ部が設けられていることを特徴とする頭皮ケア装置。
【請求項２】
前記アーチ部と対向する前記ハウジングの外面は、前記施術子の動作方向と直交する側の側面から見て前記アーチ部に向かって凸となる凸弧状に形成され、前記凸弧状に形成された前記ハウジングの外面は、前記施術子の動作方向の上流側となる部分の曲率よりも、前記動作方向の下流側となる部分の曲率が大きく形成されていることを特徴とする請求項１記載の頭皮ケア装置。
【請求項３】
前記アーチ部と対向する前記ハウジングの外面は、前記施術子の動作方向の上流側となる部分の中央部が凸状に形成されていることを特徴とする請求項１又は２に記載の頭皮ケア装置。
【請求項４】
前記アーチ部と対向する前記ハウジングの外面は、前記施術子の動作方向から前記ハウジングを見て、中央部が凹弧状に形成されていることを特徴とする請求項１乃至３のいずれか一項に記載の頭皮ケア装置。
【請求項５】
前記アーチ部の根元部は、前記施術子の動作方向から前記ハウジングを見て、前記アーチ部と対向する前記ハウジングの外面の中央部より高い位置に設定されていることを特徴とする請求項４記載の頭皮ケア装置。
【発明の詳細な説明】
【技術分野】
【０００１】
本発明は、施術子を頭皮に接触させて刺激を付与する頭皮ケア装置に関するものである。
【背景技術】
【０００２】
従来、例えば特許文献１に記載の頭皮ケア装置では、施術突起を有する施術子が駆動源の駆動により動作するように構成されており、動作する施術子の施術突起を頭皮に接触させて機械的な刺激を与えている。
【０００３】
また、特許文献１に記載の頭皮ケア装置では、使用者が把持可能な本体において、本体外郭一部を収束形状にし、かつ、把持部自身が前記施術子の動作方向と一致する方向に長い形状とすることによって、使用者に把持方法と施術子の方向性を認識させることが可能となっている。
【先行技術文献】
【特許文献】
【０００４】
【特許文献１】特開２０１２−０６１１７６号公報
【発明の概要】
【発明が解決しようとする課題】
【０００５】
ところで、上記のような頭皮ケア装置では、例えば施術子に方向性のある動作がある場合、使用者による装置の持ち方次第で、施術子の頭部に対する動作方向が変わるので、そのケア効果が変化することが考えられる。また、洗髪時など目を常時開けられない場合において把持する適正な向きを認識しづらい場合があり、より容易に動作方向あるいは把持すべき適正な向きを認識できる形状の頭皮ケア装置の開発が望まれている。
【０００６】
本発明は、上記課題を解決するためになされたものであって、その目的は、装置自体の適正な持ち方を使用者に対して容易に認識させることができる頭皮ケア装置を提供することにある。
【課題を解決するための手段】
【０００７】
上記課題を解決するために、本発明の頭皮ケア装置は、駆動源にて駆動される出力軸に施術子が駆動連結され、前記出力軸の駆動に伴って該出力軸の直交方向に少なくとも動作される前記施術子の施術突起を使用者の頭皮に接触させて刺激を与える頭皮ケア装置である。
【０００８】
そして、前記施術子は、前記駆動源の駆動に基づいて方向性のある動作が実施されるものであり、前記ハウジングにおける前記施術子が設けられた側と反対側には、施術子の動作方向と交差する方向に延設されたアーチ部が設けられている。
【０００９】
これにより、使用者はアーチ部の延設方向により施術子の動作方向を認識することができる。例えば使用者は施術子の動作方向に対して、規定された向きにハウジングを把持することができる。
【発明の効果】
【００１０】
本発明によれば、頭皮ケア装置の適正な持ち方を使用者に対して容易に認識させることができる。
【図面の簡単な説明】
【００１１】
【図１】一実施形態における頭皮ケア装置の斜視図。
【図２】頭皮ケア装置の正面図。
【図３】頭皮ケア装置の右側面図。
【図４】頭皮ケア装置の背面図。
【図５】頭皮ケア装置の平面図。
【図６】頭皮ケア装置の図５におけるＡ−Ａ線で切断した側断面図。
【図７】頭皮ケア装置の図５におけるＢ−Ｂ線で切断した正断面図。
【図８】頭皮ケア装置の図５におけるＣ−Ｃ線で切断した側断面図。
【図９】頭皮ケア装置の施術ヘッド部の動作を示す底面図。
【発明を実施するための形態】
【００１２】
第１の発明は、駆動源にて駆動される出力軸に施術子が駆動連結され、前記出力軸の駆動に伴って該出力軸の直交方向に少なくとも動作される前記施術子の施術突起を使用者の頭皮に接触させて刺激を与える頭皮ケア装置である。
【００１３】
そして、前記施術子は、前記駆動源の駆動に基づいて方向性のある動作が実施されるものであり、前記ハウジングには、前記施術子が設けられた側と反対側に、施術子の動作方向と交差する方向に延設されたアーチ部が設けられていることを特徴としたものである。
【００１４】
これにより、使用者はアーチ部の延設方向により施術子の動作方向を認識することができる。
第２の発明は、特に、第１の発明の頭皮ケア装置において、アーチ部と対向する前記ハウジングの外面は、施術子の動作方向と直交する側から見てアーチ部に向かって凸となる凸弧状に形成されている。凸弧状に形成された当該ハウジングの外面は、前記施術子の動作方向の上流側となる部分の曲率よりも、前記動作方向の下流側となる部分の曲率が大きく形成されていることを特徴としたものである。
【００１５】
これにより、ハウジングの外面とアーチ部との間への指の挿入がし易いうえ、間違った方向から指を挿入した場合に、指又は手のひらに曲率の違いによる違和感を与えることで、使用者に適切な把持方法で頭皮ケア装置を把持させることができる。
【００１６】
第３の発明は、特に、第１の発明の頭皮ケア装置において、アーチ部と対向する前記ハウジングの外面は、施術子の動作方向の上流側となる部分の中央部が凸状に形成されていることを特徴としたものである。
【００１７】
これにより、使用者の指で把持した際に自然と指がハウジングの外面（把持部）を包み込む状態で頭皮ケア装置を把持することが可能になる。また、規定された方向と異なる間違った方向から指を挿入した場合に違和感を与えることで、使用者により容易に施術子の動作方向を認識させることができる。よって、使用者に適正な把持方法で頭皮ケア装置を把持させることができる。
【００１８】
第４の発明は、特に、第１乃至３のいずれか一つの発明の頭皮ケア装置において、アーチ部と対向するハウジングの外面は、施術子の動作方向から前記ハウジングを見て、中央部が凹弧状に形成されていることを特徴としたものである。
【００１９】
これにより、ハウジングの外面とアーチ部との間に形成される孔の開口スペースを中央部で広く確保でき、把持時の指の挿入を容易にすることができる。
第５の発明は、特に、第３の発明の頭皮ケア装置において、アーチ部の根元部は、施術子の動作方向から前記ハウジングを見て、アーチ部と対向するハウジングの外面の中央部より高い位置に設定されていることを特徴としたものである。
【００２０】
これにより、アーチ部と対向するハウジングの外面を、把持時の手のひら形状によりマッチさせることができ、使用者により良い使用感を与えることができる。
（実施形態）
図１に示すように、本実施形態の頭皮ケア装置１０は、装置本体部１１と、この装置本体部１１の一端側（下端側）において着脱可能に設けられる施術ヘッド部１２とを有している。
【００２１】
図１〜図４に示すように、装置本体部１１は、底部側が開放された中空の本体ハウジング１３を備えている。図１及び図９に示すように、本体ハウジング１３は、施術ヘッド部１２が取付けられる一端側（下端側）に略四角形状の開口部１３ａが形成されている。施術ヘッド部１２は、開口部１３ａに一部挿入された状態で、本体ハウジング１３に係止により取り付けられている。
【００２２】
また、本体ハウジング１３の開口部１３ａ側（つまり施術ヘッド部１２側）とは反対側になる他端側（上端側）には、アーチ部１４が形成されている。アーチ部１４は、装置本体部１１の両側面１１ａの各上端部から、装置本体部１１の上面１１ｂの部分とともに図２、図７に示す横長楕円状の環状部を形成するようにアーチ状に架設されている。
【００２３】
詳しくは、アーチ部１４は、装置本体部１１の上面１１ｂに形成された凸弧状の把持面１５に手のひらを載せて頭皮ケア装置１０を把持する際に、親指を除く複数本（一例として３本又は４本）の指を揃えて挿入可能な横長の指挿入孔１６を形成しうるアーチ形状を有している。
【００２４】
従って、指挿入孔１６に複数本の指を挿入して手のひらを把持面１５に載せて頭皮ケア装置１０を把持した状態では、指挿入孔１６に挿入した指の背面又は手の甲の部分がアーチ部１４により支持される。
【００２５】
例えば浴室で頭皮ケア装置１０を用いて頭皮マッサージしているときに、頭皮ケア装置１０についたシャンプー等で手が滑っても、アーチ部１４に支持されるので、頭皮ケア装置１０を落としにくくなっている。
【００２６】
また、頭皮ケア装置１０を把持している状態では、指の背面又は手の甲がアーチ部１４の内周面に当たったその反力によって把持面１５側へ押さえられるので、頭皮ケア装置１０の把持部（把持面１５を含む上端部）をしっかり把持できるようになっている。
【００２７】
本実施形態では、本体ハウジング１３の上面１３ｂの中央領域に凹み形成された凹部１３ｃには、凸弧形状に成形された板状のパネル部材１７が取り付けられている。パネル部材１７の表面周縁部と、本体ハウジング１３の上面１３ｂにおける凹部１３ｃの外側の周縁部分とが略面一となっている。
【００２８】
そして、本例では、装置本体部１１の上面１１ｂからなる把持面１５の大部分をパネル部材１７の表面が占めている。頭皮ケア装置１０を把持する際は、指挿入孔１６に挿入した複数本の指の腹部及び手のひらを把持面１５に載せた状態で、それら複数本の指の第１関節又は第２関節より先の部分を装置本体部１１の正面１１ｃに掛けるとともに、親指を一方（例えば図３に示された側）の側面１１ａに添えて把持される。
【００２９】
なお、本実施形態では、本体ハウジング１３とパネル部材１７とにより、ハウジングの一例が構成される。
図１及び図３に示すように、装置本体部１１の一方の側面１１ａには、縦長矩形状の操作パネル部２０が設けられている。操作パネル部２０には、頭皮ケア装置１０を動作させる際に操作されるスイッチ操作部材２２と、頭皮ケア装置１０の動作モード等を点灯により使用者に報知する複数のＬＥＤ表示灯２３とが設けられている。
【００３０】
例えばスイッチ操作部材２２を操作することで複数の動作モードのうち１つを選択して、その選択した動作モードで頭皮ケア装置１０を動作させることが可能である。操作パネル部２０に設けられた複数のＬＥＤ表示灯２３のうち選択された動作モードに対応する一つが点灯する。
【００３１】
このため、使用者は、どの動作モードが選択されているかをＬＥＤ表示灯２３の点灯により認識できる。もちろん、頭皮ケア装置１０に用意される動作モードは１つでも構わない。なお、本実施形態では、操作パネル部２０は、頭皮ケア装置１０を把持した際に親指を添える側の側面１１ａに設けられ、把持した状態のまま親指を使ってスイッチ操作部材２２の操作が可能になっている。
【００３２】
図１、図４に示すように、装置本体部１１の背面１１ｄには、外部電源と接続するためのプラグ端子３９ａが設けられている。プラグ端子３９ａは、装置本体部１１の背面１１ｄに形成された挿通穴１８内で背面側へ突出して外部に露出している。
【００３３】
そして、このプラグ端子３９ａに外部電源と接続されるケーブルのコネクタ（いずれも図示せず）が接続されることで、装置本体部１１に内蔵された蓄電池３３（図７、図８参照）に充電が可能となっている。
【００３４】
一方、図１及び図９に示すように、装置本体部１１の下端部に取り付けられた施術ヘッド部１２は、本体ハウジング１３の下端開口を閉塞する状態に取り付けられたカバー部６１と、カバー部６１の下面部における複数箇所（一例として４箇所）に設けられてそれぞれ異なる位相で偏心回転する複数（一例として４つ）の施術子７１ａ〜７１ｄとを有している。
【００３５】
施術子７１ａ〜７１ｄは、有底筒状の施術子ベース部７２と、この施術子ベース部７２の下面（底面）から垂直な方向（下方）に突出する複数（一例として４つ）の施術突起７３とを有している。
【００３６】
複数の施術子７１ａ〜７１ｄは、それぞれ異なる位相で中心軸の周りを偏心回転することにより、頭皮を挟みつつ動作方向Ｘの下流側へ運ぶように駆動される。例えば頭皮ケア装置１０を使用者が自身の側頭部に当てたときに、この動作方向Ｘがリフトアップ方向（頭頂に向かう方向）になるように把持することが、頭皮ケア装置１０の好ましい使用例となる。
【００３７】
このため、本実施形態の頭皮ケア装置１０では、手のひらを把持面１５に対向する下向きにした状態で、手の親指以外の３指又は４指をアーチ部１４と把持面１５との間の指挿入孔１６に、図１に矢印で示す指挿入方向ＩＤに挿入して把持することが想定されている。
【００３８】
この想定された把持方法で頭皮ケア装置１０を把持すると、その把持している手の３指又は４指の指の長手方向が動作方向Ｘと平行になる。
そのうえ、その把持している手の３指又は４指の指先方向が、頭皮ケア装置１０の動作方向Ｘに一致する。頭皮ケア装置１０を把持している指の指先を上向きにして、使用者が、自身の右側頭部及び左側頭部に複数の施術子７１ａ〜７１ｄを当てて頭皮マッサージするときに、施術子７１ａ〜７１ｄの動作方向Ｘがリフトアップ方向になる。
【００３９】
また、使用者が後頭部をリフトアップ方向へマッサージしたい場合、頭越し（又は肩越し）に手を後頭部へ回したマッサージ姿勢をとると、頭皮ケア装置１０を把持する手の指先方向（つまり動作方向Ｘ）が下向きとなる。
【００４０】
この場合は、動作方向Ｘがリフトアップ方向となるように、指挿入方向ＩＤの反対側から３指又は４指を挿入して頭皮ケア装置１０を把持する。いずれの場合も、動作方向Ｘをリフトアップ方向となるように頭皮マッサージするためには、動作方向Ｘがどの方向であるかを認識する必要がある。
【００４１】
そして、本実施形態では、アーチ部１４の延設方向が、動作方向Ｘと直交するので、アーチ部１４の延設方向からこれと直交する方向が動作方向Ｘであると認識できる。
さらに、頭皮ケア装置１０の動作方向Ｘをその向きまで認識させるためには、使用者に図１に示す矢印方向が指挿入方向ＩＤであることを認識させる必要がある。そのため、本実施形態では、図１に矢印で示す方向が指挿入方向ＩＤであることを使用者に認識させるために、アーチ部１４の延設方向の工夫に加え、アーチ部１４の内周面及び把持面１５に形状の工夫がなされている。
【００４２】
ここで、上記の形状の工夫を説明するため、本体ハウジング１３の外周面を構成する各面を、次のように定義する。アーチ部の１４が延設されているその延設基端部側の面（アーチ設置面）を側面１３ｄ、施術ヘッド部１２の動作方向Ｘの下流側に位置する面を正面１３ｅ、装置本体部１１の正面１３ｅと対向する面であって施術ヘッド部１２の動作方向Ｘの上流側に位置する面を背面１３ｆとそれぞれ定義する。
【００４３】
図６に示すように、装置本体部１１の上面、すなわち、使用者が把持する際に指の腹部及び手のひらを載せる把持面１５（本体上面）は、同図に示す側面視において、凸弧形状をなす面に形成されている。
【００４４】
これにより、図６の側断面視において、装置本体部１１の上面１１ｂ（つまり把持面１５）における正面１３ｅ側の上端部１３ｇ（以下、「正面上端部１３ｇ」という。）、及び上面１１ｂにおける背面１３ｆ側の上端部１３ｈ（以下、「背面上端部１３ｈ」という。）が、上面１１ｂにおける動作方向Ｘ（つまり指挿入方向ＩＤ）の中央部分である上面中央部１５ａよりも低位置に配置されている。
【００４５】
このため、把持面１５に手のひら等を載せて把持するときに手のひらが把持し易い凸弧形状面に形成され、使用者が頭皮ケア装置１０を把持し易くなっている。
また、凸弧状に形成されたハウジング外面の一例である把持面１５は、指挿入方向ＩＤにおいて上面中央部１５ａに対し指挿入方向ＩＤ側（指挿入方向ＩＤの入口側）に位置する部分の面の曲率よりも、指挿入方向ＩＤの反対側（出口側）に位置する部分の面の曲率を大きくするように形成されている。
【００４６】
このため、指挿入方向ＩＤと反対側の不適切な方向から指を挿入した場合に、把持面１５に載せた手のひらにその把持面１５の曲率の違いによる違和感を与えることが可能となっている。この場合、使用者は把持面１５に載せた手のひらの違和感から挿入方向が不適切であることを認識でき、適切な指挿入方向ＩＤから指を挿入し直すことになるので、使用者に適切な把持方法で頭皮ケア装置１０を把持させることが可能になる。
【００４７】
さらに図４、図５に示すように、アーチ部１４と対向する本体外郭面の一例である把持面１５には、施術子７１ａ〜７１ｄの動作方向Ｘ側から見て、把持面１５における指挿入方向ＩＤの入口側に位置する部分の面の中央部に凸曲面状に膨出する凸部１５ｃが形成されている。
【００４８】
この凸部１５ｃは、使用者が把持面１５の凸弧形状の面に沿うように手のひらを載せて頭皮ケア装置１０を指で握ったときに、把持面１５に載せた手のひら中央部にできる窪みと対応する位置に、その窪みの凹形状と対応する凸形状に形成されている。
【００４９】
このため、使用者が頭皮ケア装置１０を指で把持した際に自然と手のひらが把持面１５を包み込む状態にすることが可能になる。使用者の指の挿入方向が不適切である場合、装置本体部１１の上部を把持した際の手のひらの違和感から不適切な挿入方向であることを認識できる。
【００５０】
このため、使用者により容易に施術子７１ａ〜７１ｄの動作方向Ｘを認識させ、適切な把持方法で頭皮ケア装置１０を把持させることが可能になる。
また、図２、図４、図５に示すように、正面１３ｅ及び背面１３ｆから把持面１５を見ると、図２の正面視及び図４の背面視で示すように、把持面１５（本体上面）は幅方向の中央部１５ｂで凹弧形状に形成されている。
【００５１】
このため、アーチ部１４と把持面１５との間に形成される指挿入孔１６の幅方向中央部分が相対的に上下方向に広く確保されている。ここで、中央部１５ｂは、把持面１５の幅方向中央部で凹弧形状となる面形状を形成しつつその凹弧形状の面部が把持面１５の上面中央部１５ａから前方と後方の両方に延びている。
【００５２】
中央部１５ｂにおいて、上面中央部１５ａから正面上端部１３ｇへ延びる把持面１５の中心線上（つまり凹弧形状の中央部１５ｂの幅中心線）は凸形状になっている。このため、使用者の指で把持した際に自然と指が把持面１５を包み込む状態で把持することが可能になっている。これにより、より容易に施術子７１ａ〜７１ｄの動作方向Ｘを認識することができる。
【００５３】
また、図２、図４に示すように、動作方向Ｘと直交する幅方向において、アーチ部１４の根元部となる側端部１３iが把持面１５の中央部１５ａよりも高位置に配置されている。このため、把持面１５が手のひら形状にマッチした面形状になっている。
【００５４】
さらに図２、図４に示すように、アーチ部１４の根元付近の部分には、把持面１５よりやや上側の内周面が、徐々に広がっている部分から広がらなくなった部分へと変化している箇所がある。正面視（図２）及び背面視（図４）においてこの箇所を曲率変化点Ｐｖと呼ぶことにする。
【００５５】
この曲率変化点Ｐｖは、アーチ部１４の根元部となる側端部１３ｉよりも高い位置に設定されている。曲率変化点Ｐｖを側端部１３ｉよりも高い位置に設定することにより、アーチ部１４の下側の指挿入孔１６の指挿入方向ＩＤと交差する幅方向（図２、図４における左右方向）において指挿入可能領域が比較的広く確保されている。
【００５６】
このため、指挿入孔１６に挿入された複数本の指のうち両端の２本の指を、アーチ部１４の内周面における根元部である側端部１３ｉ付近まで配置することが可能になり、指挿入孔１６を幅広く有効に使うことが可能になる。また、指挿入孔１６に挿入した複数本の指のうち幅方向両端に位置する２本の指の背面がアーチ部１４の内周面にきつく当たることを回避できる。
【００５７】
また、図１、図４、図５に示すように、パネル部材１７は、本体ハウジング１３の上面１３ｂに形成された凹部１３ｃに嵌め込まれた状態で係止により着脱可能な状態で取り付けられている。パネル部材１７において装置本体部１１の背面側となる端部には、取り外し時に操作される突部１７ａが形成されている。
【００５８】
図６に示すように、パネル部材１７において突部１７ａの裏面側となる近傍位置には係止突起１７ｂが突設されており、この係止突起１７ｂが本体ハウジング１３の上面１３ｂの対応位置に形成された係止凹部１３ｊと係合するようになっている。
【００５９】
そして、パネル部材１７は、本体ハウジング１３の上端側に、係止突起１７ｂと係止凹部１３ｊとのスナップフィット係合により上下方向（軸線方向）に着脱可能に係合されている。使用者は突部１７ａを上方へ向かって押す操作をすることによりスナップフィット係合を外して、パネル部材１７を本体ハウジング１３から取り外すことが可能になっている。
【００６０】
これによりパネル部材１７が汚れたとき、及びパネル部材１７の裏側の凹部１３ｃが汚れたときなどに、パネル部材１７を取り外して清掃できるようになっている。
次に、操作パネル部２０及び頭皮ケア装置１０の内部構造について説明する。図３及び図７に示すように、本体ハウジング１３の側面１３ｄに形成された略四角形状の凹部１３ｋに装着された略四角形状のカバー部材２１には、スイッチ操作部材２２が貫通方向に移動可能に取り付けられている。
【００６１】
このスイッチ操作部材２２は、図７に示すように、装置内側のその先端部に一体形成された押圧用凸部２２ａが、本体ハウジング１３内に収容されたスイッチ側基板２４上のスイッチ部２４ａ（例えばタクトスイッチ（登録商標））を押圧可能な位置に配置されている。
【００６２】
また、図７に示すように、スイッチ操作部材２２の押圧用凸部２２ａとスイッチ部２４ａとの間には、略円盤状のシールゴム部材２８が介在している。このため、スイッチ操作部材２２が使用者により押圧操作されると、押圧用凸部２２ａに押されたシールゴム部材２８が弾性変形してスイッチ部２４ａが操作可能とされる。
【００６３】
このとき、シールゴム部材２８によりスイッチ操作部材２２の組付け用の隙間が閉塞されるため、本体ハウジング１３内部に水等が浸入することを防止している。
また、図３に示すカバー部材２１に設けられた複数のＬＥＤ表示灯２３は、図７に示すスイッチ側基板２４上に実装された複数のＬＥＤ（Light Emitting Diode：発光ダイオード）（図示せず）と、これらＬＥＤから出力される光を導光可能にカバー部材２１に設けられたＬＥＤカバーとにより構成される。
【００６４】
また、図６、図７に示すように、本体ハウジング１３内には、略平板状のモータ基台３０が、その基台面を頭皮ケア装置１０の軸線方向（上下方向）と直交させた状態で収容されている。モータ基台３０の下面側には、ギヤ基台４０がモータ基台３０と所定の間隔を開けた平行な状態で配置されている。
【００６５】
このギヤ基台４０は、モータ基台３０を本体ハウジング１３との間で挟持した状態で下側から螺入された複数のねじ３１により固定されている。
図６、図７に示すように、モータ基台３０上には、駆動源の一例としてのモータ３２が配設されている。このモータ３２は、図７に示すようにモータ基台３０に突設された複数のモータ支持部３０ａに支持された状態で、モータ基台３０の上面幅方向略中央部に配置されている。
【００６６】
また、図７に示すように、モータ基台３０上には、モータ３２に電力を供給するための蓄電池３３が配設されている。蓄電池３３は、略円柱形状を有し、その上面の一部が略半円筒状の電池保持部材３４に覆われた状態でモータ基台３０に保持されている。
【００６７】
図８に示すように、蓄電池３３は、の正負各電極部が、モータ基台３０に固定された陽極金具３５ａ及び陰極金具３５ｂに当接することで、本体側基板３６上の制御回路（図示略）と電気的に接続されている。
【００６８】
ここで、本実施形態では、本体側基板３６は、モータ基台３０とギヤ基台４０との間の隙間を利用して両基台３０，４０と略平行な状態に配置されている。このため、本体側基板３６を比較的大面積にしても、頭皮ケア装置１０を高さ方向にさほど高くすることなく、本体側基板３６の本体ハウジング１３内への収容を可能としている。
【００６９】
本実施形態では、モータ基台３０の下面から下方へ突出する複数の柱状の突出部３０ｂと、ギヤ基台４０の上面から上方へ突出するやや偏平な柱状の複数の凸部４０ａとがそれぞれ対向する位置に形成されている。
【００７０】
そして、各突出部３０ｂと各凸部４０ａとを当接させることで、モータ基台３０とギヤ基台４０との間に本体側基板３６を収容するために必要な間隔を確保している。この間隔は、本体側基板３６に実装された部品が、モータ基台３０とギヤ基台４０のそれぞれに当たらないだけの値に設定されている。
【００７１】
ここで、モータ３２は、その一方のターミナルにリード線（図示略）を介してモータ基台３０に設けられるモータ用金具３５ｃに電気的に接続され、他方のターミナルがリード線（図示略）を介して本体側基板３６上の制御回路と電気的に接続されている。
【００７２】
そして、モータ用金具３５ｃは、ばね部材３７ａによって付勢されるレバー部材３７ｂにより上側に押圧されることで、本体側基板３６上の制御回路と電気的に接続されるレバー金具（図示略）と電気的且つ機械的に接続されるようになっている。
【００７３】
そして、蓄電池３３の電力が、各金具、リード線及び制御回路を介してモータ３２に供給される。なお、本体側基板３６は、図７に示すように、スイッチ側基板２４のリード線接続部に設けられる複数のリード線３８を通じて電気的に接続され、スイッチ側基板２４との間で各種の電気信号が双方向に伝送される。
【００７４】
図７に示すリード線３８を介して各基板２４，３６上の制御回路に伝送される信号としては、例えばスイッチ部２４ａのオン状態及びオフ状態の信号、モータ３２の駆動力（回転数）を決定するための信号がある。また、リード線３８がスイッチ側基板２４上のＬＥＤ等を駆動させる電力の伝送に用いられている。
【００７５】
ここで、図８に示すモータ基台３０に設けられる蓄電池３３は、外部電源（例えば商用電源）と電気的に接続されることで充電が可能である。詳しくは、図６に示すように、本体ハウジング１３の背面１３ｆ側の挿通穴１８内で外部に露出するプラグ端子３９ａが突設されたプラグ基台３９ｂが、本体ハウジング１３内でモータ基台３０の側縁部に取付部を介して支持されている。
【００７６】
このプラグ基台３９ｂは、本体側基板３６の制御回路に電気的に接続されている。そして、このプラグ端子３９ａに、外部電源と接続されたケーブルのコネクタが接続されることで、本体側基板３６の制御回路及び各金具３５ａ，３５ｂを介して蓄電池３３（図８参照）に充電が可能となっている。
【００７７】
図６に示すように、モータ３２の駆動力は減速機構４１を介して出力側である施術ヘッド部１２の４つの施術子７１ａ〜７１ｄまで伝達されるようになっている。詳しくは、モータ３２の駆動力は、減速機構４１を介して減速されてトルクが高められつつその動力伝達経路の途中で複数の経路に分配され、その分配された各動力が施術ヘッド部１２の各施術子７１ａ〜７１ｄにそれぞれに位相の異なる回転として伝達される。
【００７８】
ここで、図６〜図８を用いて、減速機構４１の構成を簡単に説明する。図６に示すように、モータ３２は、モータ基台３０の上面に基台面（モータ設置面）と軸線が平行になる姿勢で配置されている。モータ３２の出力軸３２ａの先端部に固定されたピニオンギヤ３２ｂの近傍位置には、ピニオンギヤ３２ｂと回転軸線が直交する向きに配置された筒状の伝達ギヤ４２が設けられている。
【００７９】
伝達ギヤ４２は上端面と外周面にそれぞれギヤ部を有し、ピニオンギヤ３２ｂは伝達ギヤ４２の上端面に形成された環状のギヤ部と噛合している。ピニオンギヤ３２ｂと伝達ギヤ４２は、両者の回転の軸線方向を直交する向きに変換して回転を伝達する直交変換機構を構成している。
【００８０】
図６に示す伝達ギヤ４２の回転は、その外周面のギヤ部と噛合する他のギヤを含む減速機構４１の中間ギヤ群を介して、減速機構４１の最終段を構成する図６及び図８に示す４つ最終ギヤ４６ａ〜４６ｄに伝達される。図８に示すように、これらの各最終ギヤ４６ａ〜４６ｄには、その中心軸位置にそれぞれ連結軸４７が圧入もしくはインサート成形にて一体回転可能に配置されている。
【００８１】
図８に示すように、各連結軸４７は、防水基台５０及びその下面側に配置された金属製の押さえ板５１のそれぞれに不図示のＯリングでシールされた状態で挿通されている。防水基台５０は、本体ハウジング１３の略四角形状の開口部１３ａよりも若干小さい形状をなし、シールされた状態で本体ハウジング１３の開口部１３ａに嵌め込まれている。防水基台５０及び押さえ板５１は、本体ハウジング１３にねじにより固定されている。
【００８２】
図８に示すように、各最終ギヤ４６ａ〜４６ｄ（但し、同図では２つのみ示す）と一体回転可能な各連結軸４７の下端部は、それぞれに対応する回転基台５５に対してその中心線から径方向外側へずれた位置に取付けられている。回転基台５５の中心線には、出力軸５６が下方へ突出する状態で圧入固定されている。
【００８３】
このため、この出力軸５６は、各最終ギヤ４６ａ〜４６ｄの軸中心からずれた位置で連結軸４７を中心として周回動作するように設定されている。
一方、上記のように構成された装置本体部１１に着脱可能に設けられる施術ヘッド部１２は、本体ハウジング１３の開口部１３ａを閉塞させるカバー部６１と、モータ３２の駆動力を受けて駆動される施術子７１ａ〜７１ｄとを有している。カバー部６１は例えばエラストマ等の可撓性を有する部材で構成されるとともに、本体ハウジング１３の開口部１３ａと略同形状・同サイズとなる大きさに設定されている。
【００８４】
図６、図７に示すように、カバー部６１には、これよりも硬質材料で構成されるとともに複数の略円柱状の施術子基台７０のそれぞれを挿通可能な複数の開口を有するヘッドベース部６２が取り付けられている。ヘッドベース部６２は、防水基台５０とスナップフィットにより上下方向において係合されている。また、ヘッドベース部６２にカバー部６１が嵌合により取り付けられている。
【００８５】
図６、図７に示すように、ヘッドベース部６２の中央部上面側には各施術子基台７０の上下方向（軸方向）への移動を規制する支持装置６７が設けられている。
支持装置６７には、施術子基台７０と同数（本例では４つ）の略平板状の連結部材６８が四方に延出するようにそれぞれの基端部が異なる高さ位置で差し込まれており、四方に延出した各連結部材６８の先端部に形成されたＵ字状部が、各施術子基台７０の外周面上の周溝に係入されている。これにより各施術子基台７０の上下方向（軸方向）への移動が規制されている。
【００８６】
図８に示すように、各施術子基台７０には、４つの回転基台５５の各回転中心位置に固定された４本の前記出力軸５６が嵌入されている。回転基台５５が連結軸４７を中心として回転すると、回転基台５５の中心から径方向にずれた位置に固定された出力軸５６と共に施術子基台７０が周回運動をするようになっている。各施術子基台７０には、カバー部６１と一体成形された施術子７１ａ〜７１ｄが組み付けられている。
【００８７】
図８、図９に示すように、施術子７１ａ〜７１ｄは、カバー部６１と同様の例えばエラストマ等の可撓性を有する部材で、カバー部６１と一体成形されている。図８に示すように、４つの施術子７１ａ〜７１ｄは、平面視で略正方形をなすように並ぶ連結軸４７に回転基台５５、出力軸及び施術子基台７０を介してそれぞれ連結され、同図に示す底面視で略正方形の４つの頂点をなす位置に配置される。
【００８８】
図８、図９に示すように、施術子７１ａ〜７１ｄは、施術子基台７０が取付けられる有底筒状の施術子ベース部７２と、この施術子ベース部７２の下面から下方に延出する複数の施術突起７３とを有している。施術突起７３の先端にはさらに図８に示す小径の突起７３ａがそれぞれ３つ形成されている。
【００８９】
図８に示すように、各施術子ベース部７２には、各施術子基台７０の先端部（下端部）が嵌合されている。なお、本実施形態では、一例として、施術子基台７０を金型に配置した状態でカバー部６１及び施術子７１ａ〜７１ｄを構成する樹脂材料を充填させることで、カバー部６１及び施術子７１ａ〜７１ｄは、施術子基台７０と二色成形にて一体的に構成されている。
【００９０】
図１及び図９に示すように施術子７１ａ〜７１ｄを構成する施術子ベース部７２には、その周囲にカバー部６１の追従変形部６１ａが設けられている。追従変形部６１ａは、施術子７１ａ〜７１ｄの施術突起７３とは反対側に凹状をなして上下方向（軸方向）と直交する方向に弾性変形可能に構成されている。
【００９１】
このため、施術子基台７０によって施術子ベース部７２が上下方向（軸方向）と直交する方向に動作されても施術子７１ａ〜７１ｄの動作を許容してその動作に追従するように変形される。なお、この追従変形部６１ａは、蛇腹状としてもよい。
【００９２】
次に、上記のように構成された頭皮ケア装置１０の作用を説明する。
頭皮ケア装置１０に設けられたアーチ部１４は、その延設方向が頭皮ケア装置１０の動作方向Ｘと直交する方向となっている。そのため、使用者は、アーチ部１４の延設方向から動作方向Ｘを認識できる。
【００９３】
但し、使用者は特にアーチ部１４の延設方向を意識しなくても、アーチ部１４と上面１１ｂとの間の指挿入孔１６に親指以外の３指又は４指を挿入して手のひらを把持面１５に載せて装置本体部１１の上面部を把持すれば、その３指又は４指の長手方向が動作方向Ｘに略一致する把持方向で頭皮ケア装置１０を把持できる。
【００９４】
このとき、例えば側頭部を頭皮ケアするときなどの通常使用の場合、３指又は４指を指挿入孔１６に対し指挿入方向ＩＤから挿入して装置本体部１１の上面部を把持する。この通常使用の把持方向では、親指が操作パネル部２０側に位置し、把持した側の手の親指を使ってスイッチ操作部材２２を操作することが可能になる。
【００９５】
使用者によりスイッチ操作部材２２が押圧操作されることで、スイッチ部２４ａがオンとオフとに切替えられ、オンにすると、モータ３２が駆動されて施術子７１ａ〜７１ｄが回転する。従って、モータ３２の駆動力が減速機構４１を介して伝達されることで連結軸４７周りを施術ヘッド部１２の施術子７１ａ〜７１ｄが周回するように動作される。
【００９６】
この施術子７１ａ〜７１ｄの施術突起７３（突起７３ａ）を頭皮に接触させると、施術突起７３の動きに合わせて使用者の頭皮が動かされることになり、頭皮がケア（マッサージ）されることになる。このとき、各施術子７１ａ〜７１ｄは、前記各ギヤ４２，４６ａ〜４６ｄ等の動作並びに回転基台５５の配置関係から、頭皮を一方向に動かすように動作する。
【００９７】
ここで、頭皮ケア装置１０に備えられる各施術子７１ａ〜７１ｄの回転動作について、主に図９を用いて詳細に説明する。なお、図９では、頭皮ケア装置１０を下方向から見たときの底面図を示す。因みに図９では、紙面直交方向が上下方向に該当し、図における左右方向を頭皮ケア装置１０の左右方向、図における上下方向を前後方向として説明する。
【００９８】
図９に示す４つの施術子７１ａ〜７１ｄは、平面視で略正方形をなすように並ぶ連結軸４７に回転基台５５、出力軸及び施術子基台７０を介してそれぞれ連結され、同図に示す底面視で略正方形の４つの頂点をなす位置に配置される。そのうち、前後方向に隣り合う反時計回りに回転する施術子７１ａ，７１ｂは、それらの施術子ベース部７２の中心Ｐ１，Ｐ２が前記各連結軸４７を中心として互いに１８０度の位相のずれをもって回転する。
【００９９】
また、時計回りに回転する施術子７１ｃ，７１ｄにおいても同様に、それらの施術子ベース部７２の中心Ｐ３，Ｐ４が前記各連結軸４７を中心として互いに１８０度の位相のずれをもって回転する。また、左右方向に隣り合う施術子７１ａ，７１ｃ（施術子７１ｂ，７１ｄ）においては、それらの施術子ベース部７２の中心Ｐ１，Ｐ３（中心Ｐ２，Ｐ４）が垂直二等分線Ｌに対して互いに線対称となるように回転する。
【０１００】
このような構成によれば、施術子７１ａ、７１ｃの中心Ｐ１，Ｐ３と、施術子７１ｂ，７１ｄの中心Ｐ２，Ｐ４とが前後方向に最も離れた状態（図９の状態から反転方向に９０度回転させた状態）から、各施術子７１ａ〜７１ｄがそれぞれ９０度回転すると、図９に示すように、施術子７１ａ，７１ｃが左右方向において最も接近した状態とされる。
【０１０１】
これにより各施術子７１ａ，７１ｃは施術突起７３間で挟み揉みを行うように動作する。このとき、各施術子７１ａ，７１ｃ間で挟まれた頭皮はその回転方向に移動される。
そこから更に、各施術子７１ａ〜７１ｄが９０度回転すると、同方向に回転する施術子７１ａ，７１ｂにおいて、それらの施術子ベース部７２の中心Ｐ１，Ｐ２は、同じタイミングで互いに最も接近する。
【０１０２】
そして、施術子７１ａ，７１ｂの間を局所的に見ると、各施術子７１ａ，７１ｂは、互いに接近した状態で互いにすれ違うように周回動作する。これにより、同じタイミングで接近する各施術子７１ａ，７１ｂで頭皮を挟むとともに、そこから互いにすれ違う動作によって頭皮にひねりの動きを与えることが可能となっている。
【０１０３】
そして、このように挟みの動作及びひねり揉みの動作を行う各施術子７１ａ，７１ｂを頭皮に接触させると、その各施術子７１ａ，７１ｂの動きに合わせて使用者の頭皮が効果的に動かされることになり、頭皮がケア（マッサージ）されることになる。また、施術子７１ｃ，７１ｄにおいても、この施術子７１ａ，７１ｂと同様の挟みとひねりの動きがなされるようになっている。
【０１０４】
このように、図９に示す例では、各施術子７１ａ〜７１ｄ（中心Ｐ１〜Ｐ４）の回転角度に応じて、頭皮に対して異なる種類の動きを与えることが可能であるため、頭皮ケア効果の向上に寄与できる。
【０１０５】
また、前述したように、各施術子７１ａ，７１ｃ間と各施術子７１ｂ，７１ｄ間とで前後方向における一方向（図９において上側から下側へ向かう方向）へ使用者の頭皮を移動させる動作が実施される。そして、この方向性のある動作方向Ｘと平面視で直交する方向にアーチ部１４が延設されている。このため、アーチ部１４は、その延設方向から頭皮ケア装置１０の動作方向Ｘを認識する認識手段として機能する。
【０１０６】
図４に示すように、アーチ部１４は、装置本体部１１の上面１１ｂの部分と共に略円環状をなすように形成されており、その略円環状部分で囲まれた指挿入孔１６に、使用者は指挿入方向ＩＤから親指以外の３指又は４指を挿入し、把持面１５に手のひらを載せた状態で装置本体部１１の上面部を把持する。このとき、指挿入孔１６に挿入された３指又は４指の長手方向指先側を動作方向Ｘに略一致させることができる。
【０１０７】
さらに装置本体部１１の上面１１ｂ（つまり把持面１５）において上面中央部１５ａよりも指挿入方向ＩＤの入口側となる部分の面の曲率より、指挿入方向ＩＤの出口側となる部分の面の曲率を大きくした。
【０１０８】
換言すれば、装置本体部１１の上面１１ｂにおいて上面中央部１５ａよりも動作方向Ｘの上流側となる部分の面の曲率より、動作方向Ｘの下流側となる部分の面の曲率を大きくした。
【０１０９】
このため、仮に間違った指挿入方向（反ＩＤ方向）から３指又は４指を挿入して装置本体部１１を把持した際は、手のひらに把持面１５の曲率の違いによる違和感を与えることができる。この結果、使用者は指挿入方向が間違っていることを手のひらの違和感から認識し、適正な指挿入方向ＩＤから指を入れ直して、頭皮ケア装置１０を適正な把持方向で把持することができる。
【０１１０】
また、装置本体部１１の正面上端部１３ｇよりも背面上端部１３ｈの高さを低くすることにより、適正な指挿入方向ＩＤで把持した際に比べ、間違った指挿入方向で把持した際に手のひらに与える違和感をより明確にすることができる。
【０１１１】
このように各上端部１３ｇ，１３ｈの高さ関係に差をつけることにより、施術子７１ａ〜７１ｄの方向性のある動作の向き（動作方向Ｘ）を、使用者は把持面１５に載せた手のひらの違和感から認識することができる。従って、使用者が装置本体部１１を把持するときに把持方向を一方向に限定することができ、動作方向Ｘと一致する把持方向で頭皮ケア装置１０を把持することができる。
【０１１２】
また、頭皮ケア装置１０を動作方向Ｘと平行な方向から見た場合、アーチ部１４が根元部となる側端部１３ｉから上方へ延出する部分の内周面が、一旦外側へ広がってから内側へ狭まる形状をなしている。
【０１１３】
つまり、アーチ部１４の広がった部分から狭まる部分へと変化している箇所である曲率変化点Ｐｖが、アーチ部１４の根元部となる側端部１３ｉよりも高位置に配置されている。このため、指挿入孔１６に挿入した複数本の指のうち両端に位置する２本の指（人指し指と、薬指又は小指）が、指挿入孔１６内に窮屈なく収容でき、両端の２本の指も有効に使って装置本体部１１の上面部をしっかり把持することができる。
【０１１４】
仮にアーチ部の内周面が根元部からいきなり幅方向内側へ狭まる面形状で延びていると、指挿入孔１６の幅方向両端部の隅部に上下方向の幅が狭くなり指を配置できない領域が発生する。
【０１１５】
この場合、指挿入孔１６内に挿入された両端２本の指の外側側面やや上側の部分がアーチ部の内周面に当たって窮屈さを感じる。しかし、本実施形態では、曲率変化点Ｐｖが側端部１３ｉよりも高位置に配置されているので、アーチ部１４に挿入した両端２本の指を指挿入孔１６の幅方向両端部の隅部にまで配置でき、指挿入孔１６を幅方向に有効に使って装置本体部１１の上面部を把持できる。
【０１１６】
さらに、アーチ部１４の根元部となる側端部１３ｉが、アーチ部１４と対向する上面１１ｂにおける幅方向の中央部１５ａより高い位置に設定されている。よって、把持面１５が把持時の手のひら形状にマッチするようになっている。
【０１１７】
また、図１、図３〜図５に示すように、パネル部材１７には、パネル部材１７における指挿入方向ＩＤの入口側の端部に突部１７ａが設けられている。このパネル部材１７を本体ハウジング１３に係止しているフックを外すために指で突部１７ａを押す操作をすることで、パネル部材１７を本体ハウジング１３から取り外すことができる。
【０１１８】
例えば突部１７ａがパネル部材１７における指挿入方向ＩＤの出口側の端部にあると、頭皮ケア装置１０を使用中に使用者が装置本体部１１を把持している指の第１関節辺りの位置に突部１７ａが位置することになる。
【０１１９】
この場合、使用者が頭皮ケア装置１０をしっかり把持しようとして指に力を入れたときに突部１７ａを手前側（係止解除方向）に押してしまい、パネル部材１７が意図せず外れてしまう虞がある。
【０１２０】
しかし、本実施形態の好ましい構成では、突部１７ａをパネル部材１７における指挿入方向ＩＤの入口側の端部に配置しているので、使用者が頭皮ケア装置１０を把持するときの手のひら中央部の窪み辺りに突部１７ａが位置することになる。
【０１２１】
このため、使用者が頭皮ケア装置１０をしっかり把持しようとして入れた指の力はもちろん、手のひらで突部１７ａが、係止が解除されるまで押し込まれることが回避される。よって、頭皮ケア装置１０を使用するケア中に把持する力でパネル部材１７のフックが外れてしまう事態を回避できる。
【０１２２】
また、突部１７ａが手のひら中央の窪み辺り（やや手首寄り）に位置するので、使用者が把持する面に突部１７ａがあってもさほど違和感がない。
次に、本実施形態の特徴的な作用効果を記載する。
【０１２３】
（１）施術子７１ａ〜７１ｄは、モータ３２の駆動に基づいて方向性のある動作方向Ｘの動作が実施されるものであり、頭皮ケア装置１０には、施術子７１ａ〜７１ｄの動作方向Ｘを認識することができる認識機能を有するアーチ部１４が備えられている。
【０１２４】
アーチ部１４は、装置本体部１１の施術子７１ａ〜７１ｄが設けられた側と反対側に、動作方向Ｘと交差する方向に跨って延設されている。これにより、使用者はこのアーチ部１４の延設方向により施術子７１ａ〜７１ｄの動作方向Ｘを認識することができる。このため、使用者は頭皮ケア装置１０を動作方向Ｘに応じた適正な把持方向で把持することができる。
【０１２５】
（２）装置本体部１１の上面である把持面１５において、上面中央部１５ａよりも指挿入方向ＩＤの入口側部分の面の曲率が、上面中央部１５ａよりも指挿入方向ＩＤの出口側部分の面の曲率よりも大きくした。
【０１２６】
すなわち、把持面１５において、上面中央部１５ａよりも動作方向Ｘの上流側となる部分の面の曲率が、上面中央部１５ａよりも動作方向Ｘの下流側となる部分の面の曲率よりも大きくした。
【０１２７】
このため、適正な指挿入方向ＩＤへ指を挿入して頭皮ケア装置１０を把持した際に把持面１５が手のひらにフィットする。仮に不適切な指挿入方向ＩＤから指を挿入して頭皮ケア装置１０を把持した際は、把持面１５に載せた指及び手のひらに曲率の違いによる違和感を与えることができる。この結果、使用者は適正な把持方法で頭皮ケア装置１０を把持し直すことができる。
【０１２８】
また、把持面１５は、手のひらが載る部分の面よりも指を載せる部分の面の方が、曲率が大きくなっているので、把持面１５に載せた指の第２関節を相対的に大きな角度で曲げて、頭皮ケア装置１０をよりしっかり把持することができる。さらに、把持面１５が凸弧状となっているので、アーチ部１４へ指を挿入する際に指挿入孔１６の手前側に比較的広い空間が確保され、指の挿入し易さが確保される。
【０１２９】
（３）装置本体部１１の背面上端部１３ｈの高さを正面上端部１３ｇよりも低くしたので、アーチ部１４への指の挿入のし易さが確保されるとともに、適正な指挿入方向ＩＤに指を挿入して把持した際に手のひらが把持面１５にフィットする。
【０１３０】
また、使用者が不適切な指挿入方向に指を挿入して頭皮ケア装置１０を把持した場合、手のひらに違和感を与えることができる。この結果、使用者は適正な把持方法で頭皮ケア装置１０を把持し直すことができる。
【０１３１】
（４）上面中央部１５ａから正面上端部１３ｇへ延びる把持面１５の中心線上を凸形状にすることにより、使用者の指で把持した際に自然と指が把持面１５を包み込む状態にすることが可能になる。これにより、より容易に施術子７１ａ〜７１ｄの動作方向Ｘを認識することができる。
【０１３２】
（５）装置本体部１１の上面１１ｂにおける幅方向の中央部１５ｂを凹弧形状に構成したので、アーチ部１４と上面１１ｂとの間に形成される指挿入孔１６の幅方向中央部分の開口スペースを上下方向に広く確保でき、把持時の指の挿入を容易にすることができる。
【０１３３】
（６）頭皮ケア装置１０を動作方向Ｘから見た正面視及び背面視において、アーチ部１４と対向する装置本体部１１の上面１１ｂの形状を、中央部１５ａが側端部１３ｉよりも低く位置する凹弧状に構成した。このため、把持時の手のひらの形状に把持面１５をよりマッチさせることができ、使用者により良い使用感を与えることができる。
【０１３４】
（７）アーチ部１４の根元付近の内周面において、根元部である側端部１３ｉから上方側ほど広がっている部分から広がらなくなった部分へ変化している箇所である曲率変化点Ｐｖを、側端部１３ｉよりも高位置に配置している。
【０１３５】
このため、指挿入孔１６に挿入した両端の指を配置できる幅方向スペースを広く確保できる。例えばアーチ部が根元部から上側の部分で幅が狭くなる内周面形状であると、両端の指を配置できるスペースが幅方向に狭くなり、両端の指が窮屈に感じる。しかし、本実施形態では、両端の指の側方に位置するアーチ部１４の内周面が、指の曲面に沿った凹曲面状となっているので、両端の指がアーチ部１４の内周面に当たっても窮屈に感じない。
【０１３６】
なお、実施形態は、以下のように変更してもよい。
・上記実施形態において、アーチ部の形成領域を複数に分割した各領域に一ずつアーチ部を形成して複数（２〜４個）のアーチ部を設け、一つのアーチ部に指を１本ずつ入れて装置本体部の把持部（把持面）を把持する構成にしてもよい。
【０１３７】
もちろん、複数のアーチ部のうち少なくとも一つに指を複数本入れてもよい。例えば２本の指と１本の指を別々のアーチ部に入れたり、２つのアーチ部に指を２本ずつ、あるいは３本と１本の組合せで入れたりしてもよい。
【０１３８】
・上記実施形態において、連結軸４７の軸線と施術子７１ａ〜７１ｄの中心Ｐ１〜Ｐ４とを同軸上に配置し、施術子７１ａ〜７１ｄが中心Ｐ１〜Ｐ４を中心軸として回転する構成でもよい。なお、この場合、施術子７１ａ〜７１ｄは偏心回転しないので、施術子７１ａ〜７１ｄとカバー部６１とは別体であることが望ましい。
【０１３９】
・上記実施形態において、施術子７１ａ〜７１ｄが出力軸５６と直交する動作方向Ｘに動作するのに加え、施術子７１ａ〜７１ｄを出力軸５６と平行な軸方向に動作させる構成を採用してもよい。この構成によれば、更に使用者の頭皮を叩くような刺激を付与することができる。また、施術子が動作方向Ｘに波打つように動作してもよい。この場合、施術子が回転を伴ってもよいし、回転を伴わず波打ち運動のみしてもよい。
【０１４０】
・上記実施形態において、施術ヘッド部１２を構成するカバー部６１と施術子７１ａ〜７１ｄとを別体とした構成を採用してもよい。但し、施術子７１ａ〜７１ｄの施術突起７３は、いずれの構成においても可撓性部材（弾性部材）にて構成することが望ましい。
【０１４１】
・上記実施形態では、施術子７１ａ〜７１ｄを４つ設ける構成としたが、その数は任意に変更してもよい。また、施術子７１ａ〜７１ｄを構成する施術突起７３をそれぞれ４つずつ設ける構成としたが、その数は任意に変更してもよく、例えば各施術子７１ａ〜７１ｄにおいて施術突起７３の数が異なってもよい。
【０１４２】
更に、各施術突起７３の先端に更に小径の突起７３ａを３つ設ける構成としたが、その数は任意に変更してもよく、例えば各施術突起７３において突起７３ａの数が異なってもよい。また、突起７３ａを省略した構成を採用してもよい。
【０１４３】
・アーチ部がその延設方向の途中で１つのスリットで分断されていてもよい。例えば、アーチ部の延設方向中央部をスリットで分断し、アーチ部の半分の形状をなす一対の片持ち状の腕部により、アーチ部を構成してもよい。
【０１４４】
・アーチ部は、本体ハウジング１３に一体成形された構成に限定されず、本体ハウジング１３と別部材であってもよい。本体ハウジング１３の側面又は上面側端部にアーチ部材の根元部を、ねじ、接着、係止などの公知の固定方法で固定した構成とする。
【０１４５】
・アーチ部は一つに限定されず、装置本体部に２つ又は３つなど複数のアーチ部を延設方向と交差する方向に並べて設けてもよい。この場合、複数のアーチ部へそれぞれ挿入される指の本数は同じでもよいし、異なってもよい。
【０１４６】
各アーチ部へ挿入される指の本数が異なる場合は、指の挿入し易さと動作方向Ｘの認識し易さの観点から、指挿入方向の入口側のアーチ部に挿入される指の本数が、出口側のアーチ部に挿入される指の本数よりも多いことが望ましい。また、指挿入方向の入口側のアーチ部によって形成される指挿入孔の開口面積が、出口側のアーチ部によって形成される指挿入孔の開口面積よりも広いことが望ましい。
【０１４７】
・アーチ部の延設方向中央部における幅が、根元部側の幅よりも広く形成されてもよい。この構成であると、本体を把持した手の甲がアーチ部の幅広部分で支えられるので、本体を把持したときに安定感が得られる。もちろん、この逆に、アーチ部の延設方向中央部を幅狭、根元部側を幅広としてもよい。
【産業上の利用可能性】
【０１４８】
以上のように、本発明にかかる頭皮ケア装置は、装置自体の適正な持ち方を使用者に対して容易に認識させることが可能となるので、頭皮に限らず、顔、首、肩、背中、腹部、臀部、腕、脚のケアなど、身体の少なくとも一部分のケアを目的とした器具等の用途にも適用できる。
【符号の説明】
【０１４９】
１０…頭皮ケア装置、１１…装置本体部、１１ａ…側面、１１ｂ…ハウジングの外面の一例としての上面、１２…施術ヘッド部、１３…ハウジングの一例を構成する本体ハウジング、１３ｉ…根元部の一例としての側端部、１４…アーチ部、１５…把持面、１５ａ…上面中央部、１５ｂ…中央部、１６…指挿入孔、１７…ハウジングの一例を構成するカバー部材、３２…駆動源の一例としてのモータ、４７…出力軸の一例を構成する連結軸、５６…出力軸の一例を構成する出力軸、７１ａ〜７１ｄ…施術子、Ｘ…動作方向。
【図１】
2014108160.tif 000003
【図２】
2014108160.tif 000004
【図３】
2014108160.tif 000005
【図４】
2014108160.tif 000006
【図５】
2014108160.tif 000007
【図６】
2014108160.tif 000008
【図７】
2014108160.tif 000009
【図８】
2014108160.tif 000010
【図９】
2014108160.tif 000011